(57)【要約】【課題】使用時の肌触り感を良好にするとともに周囲の物に対する擦れ易さを解消することができる掛布団を提供する。【解決手段】掛布団１００は、使用者Ｕの身体側に面する下側布地１０１に対して保温材を介して上側布地１０２を備えている。上側布地１０２は、幅方向の長さが下側布地１０１の幅方向の長さよりも長く形成されている。これらの下側布地１０１と上側布地１０２とは、掛布団１００の内部空間１０３内において下側横襠帯１１１と上側布地１１２とで連結されている。下側横襠帯１１１は、内部空間１０３内において幅方向に沿って帯状に延びた状態で下側布地１０１に縫合されている。また、上側横襠帯１１２は、下側横襠帯１１１よりも長い長さの帯状に形成されて下側横襠帯１１１に対向した状態で上側布地１０２に縫合されている。この上側横襠帯１１２は、幅方向中央部がヒダ状にまとめられた状態で下側横襠帯１１１上に接合されている。【選択図】  図３
2017217127.tif 000002
【特許請求の範囲】
【請求項１】
仰臥した人の身体を覆う大きさの布地からなる下側布地と、
前記仰臥した身体の幅方向の長さが前記下側布地の長さよりも長く形成されて前記下側布地の周縁部に接合される上側布地と、
前記下側布地に前記幅方向に沿って前記上側布地側に起立するように帯状に延びた下側横襠帯と、
前記下側横襠帯より長い長さの帯状に形成されて前記上側布地に前記幅方向に沿って前記下側布地側に下垂するように設けられた上側横襠帯とを備え、
前記下側横襠帯および前記上側横襠帯は、
前記下側横襠帯に対して前記上側横襠帯がヒダ（襞）状に接合されて前記下側布地と前記上側布地との間の内部空間を仕切っており、
前記仕切られた内部空間に保温材が充填されていることを特徴とする掛布団。
【請求項２】
請求項１に記載した掛布団において、
前記上側横襠帯は、
前記下側横襠帯における前記幅方向の中央部にヒダ状に接合されていることを特徴とする掛布団。
【請求項３】
請求項１または請求項２に記載した掛布団において、
前記上側布地は、
前記幅方向に直交する長手方向の両端部のうちの少なくとも一方が前記下側布地における前記幅方向の中央部より外側にヒダ状に接合されていることを特徴とする掛布団。
【請求項４】
請求項１ないし請求項３のうちのいずれか１つに記載した掛布団において、
前記下側横襠帯と前記上側横襠帯との接合部分は、前記下側布地と前記上側布地との間の厚さ方向中央部または同中央部よりも前記上側布地側に形成されていることを特徴とする掛布団。
【請求項５】
請求項１ないし請求項４のうちのいずれか１つに記載した掛布団において、
前記下側布地と前記上側布地との間には、前記幅方向に直交する長手方向に沿って帯状に延びる縦襠帯が設けられて前記内部空間を仕切っていることを特徴とする掛布団。
【請求項６】
請求項１ないし請求項５のうちのいずれか１つに記載した掛布団において、
前記下側布地は、
前記仰臥した人に面する下側外布地と、
前記下側外布地と前記上側布地との間に配置される下側中布地とを有し、
前記下側横襠帯は、
前記下側中布地に設けられていることを特徴とする掛布団。
【発明の詳細な説明】
【技術分野】
【０００１】
本発明は、就寝時などに身体上に掛けて使用する掛布団に関する。
【背景技術】
【０００２】
従来から、仰臥した人の身体上に面する下側布地に対してこの下側布地に羽毛や棉などの保温材を介して対向配置される上側布地の幅方向の長さを長く形成してドレープ性を向上させた掛布団がある。例えば、下記特許文献１には、裏地（下側布地）に対して表地（上側布地）の幅方向の長さが長く形成されるとともに、裏地と表地との間の内部空間が縦横に設けられたマチテープによって格子状に仕切られた掛け布団が開示されている。
【先行技術文献】
【特許文献】
【０００３】
【特許文献１】特開平１１−２２５８６３号公報
【０００４】
しかしながら、上記特許文献１に記載された掛け布団においては、マチテープの長さが表地の幅方向の長さに合わせられていることによって生じる裏地に対する余端部分（余剰部分）が裏地に対してタック状にまとめられて縫合されているため、使用時の裏地の肌触り感が硬く好ましくないとともに縫合部分が周囲の物（例えば、敷布団など）に対して過度に擦れて摩耗し易いという問題があった。
【発明の概要】
【０００５】
本発明は上記問題に対処するためなされたもので、その目的は、使用時の肌触り感を良好にするとともに周囲の物に対する擦れ易さを解消することができる掛布団を提供することにある。
【０００６】
上記目的を達成するため、本発明の特徴は、仰臥した人の身体を覆う大きさの布地からなる下側布地と、仰臥した身体の幅方向の長さが下側布地の長さよりも長く形成されて下側布地の周縁部に接合される上側布地と、下側布地に幅方向に沿って上側布地側に起立するように帯状に延びた下側横襠帯と、下側横襠帯より長い長さの帯状に形成されて上側布地に幅方向に沿って下側布地側に下垂するように設けられた上側横襠帯とを備え、下側横襠帯および上側横襠帯は、下側横襠帯に対して上側横襠帯がヒダ（襞）状に接合されて下側布地と上側布地との間の内部空間を仕切っており、仕切られた内部空間に保温材が充填されていることにある。
【０００７】
この場合、ヒダ状とは、折り重ねられた状態であって、例えば、タック、ギャザーまたはいせ込みなどの手法がある。また、保温材は、使用者を保温するための部材であり、羽毛、羊毛または棉のほか、発泡ビーズやウレタンチップなどの多孔質体で構成される。
【０００８】
このように構成した本発明の特徴によれば、掛布団は、上側布地から下垂する上側横襠帯に対して下側布地に下側布地の幅方向の長さに合わせた下側横襠帯を設けるとともにこの下側横襠帯に上側横襠帯をヒダ（襞）状に接合しているため、下側布地にヒダ状の接合部分が生じず肌触り感が良好になるとともに接合部分が周囲の物に過度に擦れて摩耗することも解消できる。
【０００９】
また、本発明の他の特徴は、前記掛布団において、上側横襠帯は、下側横襠帯における幅方向の中央部にヒダ状に接合されていることにある。この場合、幅方向中央部とは、仰臥する使用者の肩幅と同等の範囲の領域であり、３０ｃｍ〜８０ｃｍの範囲の領域に設定するとよい。
【００１０】
このように構成した本発明の他の特徴によれば、掛布団は、上側横襠帯が下側横襠帯における幅方向中央部に接合されているため、仰臥または横臥する使用者の身体の真上の上側布地に幅方向の余裕（延び代）を持たせることができ保温性を確保することができる。
【００１１】
また、本発明の他の特徴は、前記掛布団において、上側布地は、幅方向に直交する長手方向の両端部のうちの少なくとも一方が下側布地における幅方向の中央部より外側にヒダ状に接合されていることにある。
【００１２】
このように構成した本発明の他の特徴によれば、掛布団は、上側布地の長手方向の両端部のうちの少なくとも一方が下側布地における幅方向の中央部より外側にヒダ状に接合されているため、同一方側を使用者の頭部側に配置して使用することにより首や顔面にヒダ状の接合部が接触する不快感を防止することができる。
【００１３】
また、本発明の他の特徴は、掛布団において、下側横襠帯と上側横襠帯との接合部分は、下側布地と上側布地との間の厚さ方向中央部または同中央部よりも上側布地側に形成されていることにある。
【００１４】
このように構成した本発明の他の特徴によれば、掛布団は、下側横襠帯と上側横襠帯との接合部分が下側布地と上側布地との間の厚さ方向中央部または同中央部よりも上側布地側に形成されているため、仰臥または横臥する身体に対して接合部分が遠く離れることにより接合部分の間接的な接触による不快感を防止することができる。
【００１５】
また、本発明の他の特徴は、前記掛布団において、下側布地と上側布地との間には、幅方向に直交する長手方向に沿って帯状に延びる縦襠帯が設けられて内部空間を仕切っていることにある。
【００１６】
このように構成した本発明の他の特徴によれば、掛布団は、下側布地と上側布地との間に長手方向に沿って帯状に延びる縦襠帯が設けられて内部空間が平面視で格子状に仕切られているため、保温材の流動や偏りを効果的に防止することができる。
【００１７】
また、本発明の他の特徴は、前記掛布団において、下側布地は、仰臥した人に面する下側外布地と、下側外布地と上側布地との間に配置される下側中布地とを有し、下側横襠帯は、下側中布地に設けられていることにある。この場合、下側中布地は、掛布団の幅方向の全域または一部（例えば、中央部）に設けることができる。
【００１８】
このように構成した本発明の他の特徴によれば、掛布団は、下側布地が下側外布地および下側中布地を有するとともに下側横襠帯が下側中布地に設けられているため、下側布地と上側布地との間に配置される保温材の厚さが経年的に薄くなった場合においてもヒダ状の接合部分の肌や周囲の物への接触を緩和して肌触り感が良好に保たれるとともに摩耗も抑えることができる。
【図面の簡単な説明】
【００１９】
【図１】本発明の一実施形態に係る掛布団の外観構成の概略を示す平面図である。
【図２】図１に示した掛布団を仰臥した使用者Ｕの身体上に掛けた状態を使用者Ｕの頭側から見た使用状態図である。
【図３】図１に示した３−３線から見た掛布団の内部構造を示す一部切欠き断面図である。
【図４】図１に示した掛布団の内部構成を説明するために上側布地と下側布地とを分離させた状態を示した分解図である。
【図５】本発明の変形例に係る掛布団の内部構造を示す一部切欠き断面図である。
【図６】本発明の他の変形例に係る掛布団の内部構造を示す一部切欠き断面図である。
【発明を実施するための形態】
【００２０】
以下、本発明に係る掛布団の一実施形態について図面を参照しながら説明する。図１は、本発明に係る掛布団１００の外観構成の概略を示す平面図である。また、図２は、図１に示した掛布団１００を仰臥した使用者Ｕの身体上に掛けた状態を使用者Ｕの頭側から見た使用状態図である。また、図３は、図１に示した３−３線から見た掛布団１００の内部構造を示す一部切欠き断面図である。この掛布団１００は、仰臥または横臥する使用者Ｕの身体上に掛けられて保温するための寝具である。
【００２１】
（掛布団１００の構成）
掛布団１００は、下側布地１０１を備えている。下側布地１０１は、掛布団１００が掛けられる使用者Ｕの身体側に面する生地であり、仰臥した使用者Ｕの身体を覆うことができる大きさの布材によって構成されている。本実施形態においては、下側布地１０１は、使用者Ｕの身長方向に対応する長手方向である縦が２１０ｃｍ、この長手方向（身長方向）に直交する幅方向（肩幅方向）が１５０ｃｍの平面視で長方形状に形成されている。また、下側布地１０１は、本実施形態においては、ポリエステル樹脂製の綿（化学繊維）と木綿とを混合した生地によって構成されている。この下側布地１０１には、上側布地１０２が対向配置されている。
【００２２】
上側布地１０２は、掛布団１００が掛けられる使用者Ｕの身体側とは反対側、すなわち、掛布団の表（おもて）面を構成する生地であり、下側布地１０１に重ねて各周縁部が接合できる大きさの布材によって構成されている。この場合、上側布地１０２は、使用時における幅方向の余裕を持たせるため、幅方向の長さが下側布地１０１の幅方向の長さよりも長く形成されている。本実施形態においては、上側布地１０２は、幅方向の長さが下側布地１０１の幅方向の長さよりも１５ｃｍだけ長く形成されている。
【００２３】
一方、上側布地１０２の長手方向の長さは、下側布地１０１の長手方向の長さと同じ長さに形成されている。本実施形態においては、下側布地１０１は、長手方向である縦が２１０ｃｍ、幅方向（肩幅方向）が１６５ｃｍの平面視で長方形状に形成されている。また、上側布地１０２は、本実施形態においては、下側布地１０１と同じ材料、すなわち、ポリエステル樹脂製の綿（化学繊維）と木綿とを混合した生地によって構成されている。
【００２４】
これらの下側布地１０１と上側布地１０２とは、互いの周縁部が縫合により互いに接合されることによって下側布地１０１と上側布地１０２との間に内部空間１０３を形成した状態で掛布団１００の外表面を構成している。この場合、上側布地１０２は、下側布地１０１に対して幅方向に長く形成された余剰分を詰めるため、長手方向両端部において後述する２つの上側縦襠帯１１５の各近傍でタック１０４を介して縫合している。なお、図１〜図３においては、下側布地１０１と上側布地１０２とを各周縁部で縫合した縫合糸をそれぞれ破線で示している。
【００２５】
内部空間１０３は、保温材１０５を収容するための空間である。この内部空間１０３は、それぞれ後述する下側横襠帯１１１、上側横襠帯１１２、下側縦襠帯１１４および上側縦襠帯１１５によって上下方向に延びる厚さを有する空間として形成される。保温材１０５は、使用者Ｕの身体を外気から遮断して保温するための部材であり、羽毛や綿（わた）によって構成されている。この内部空間１０３は、下側横襠帯１１１、上側横襠帯１１２、下側縦襠帯１１４および上側縦襠帯１１５によって仕切られている。なお、図１〜図３においては、上側横襠帯１１２および上側縦襠帯１１５の上側布地１０２への縫合糸をそれぞれ破線で示している。また、図２においては、下側縦襠帯１１４の下側布地１０１への縫合糸を破線で示している。
【００２６】
下側横襠帯１１１は、内部空間１０３を上側横襠帯１１２とともに掛布団１００の長手方向に沿って幅方向に仕切るための帯状の部品であり、下側布地１０１の内側面上に起立するように掛布団１００の幅方向に延びて形成されている。本実施形態においては、下側横襠帯１１１は、トリコット（編物）で構成されている。この下側横襠帯１１１は、図４に示すように、下側布地１０１に対応する長さ、具体的には、下側布地１０１と上側布地１０２との各周縁部での縫い代を考慮して下側布地１０１の幅方向の長さよりも若干短い長さで形成されている。
【００２７】
また、下側横襠帯１１１の上下方向の幅は、内部空間１０３の高さの半分よりも若干長い長さに形成されている。そして、下側横襠帯１１１は、下側布地１０１の内側面上に掛布団１００の長手方向に沿って略等間隔に配置されてそれぞれ下側布地１０１の内側面に縫合されている。本実施形態においては、下側横襠帯１１１は、下側布地１０１の内側面上に長手方向に沿って４つ（４列）設けられている。
【００２８】
上側横襠帯１１２は、内部空間１０３を下側横襠帯１１１とともに掛布団１００の長手方向に沿って幅方向に仕切るための帯状の部品であり、上側布地１０２の内側面に下垂した状態で掛布団１００の幅方向に延びに形成されている。本実施形態においては、上側横襠帯１１２は、下側横襠帯１１１と同じ材料、すなわち、トリコットで構成されている。この上側横襠帯１１２は、図４に示すように、上側布地１０２に対応する長さ、具体的には、上側布地１０２と下側布地１０１との各周縁部での縫い代を考慮して上側布地１０２の幅方向の長さよりも若干短い長さかつ下側横襠帯１１１よりも長い長さで形成されている。
【００２９】
また、上側横襠帯１１２の上下方向の幅は、内部空間１０３の高さの半分よりも若干長い長さに形成されている。そして、上側横襠帯１１２は、下側横襠帯１１１に対応する位置、すなわち、上側布地１０２の内側面に下垂した状態で掛布団１００の長手方向に沿って略等間隔に配置されてそれぞれ上側布地１０２の内側面に縫合されている。本実施形態においては、上側横襠帯１１２は、上側布地１０２の内側面に長手方向に沿って４つ（４列）設けられている。
【００３０】
これらの下側横襠帯１１１と上側横襠帯１１２とは、互いに接合されている。具体的には、下側横襠帯１１１の上端部および上側横襠帯１１２の下端部がそれぞれ直角方向に折り曲げられた状態で互いに重ね合されて縫合されている。この場合、上側横襠帯１１２は、掛布団１００の幅方向中央部が幅方向に沿ってタック状に折り畳まれた状態で下側横襠帯１１１に縫合されている。ここで、上側横襠帯１１２における幅方向中央部とは、掛布団１００の幅方向の中心位置を中心として使用者Ｕの肩幅に対応する長さの範囲である。本実施形態においては、上側横襠帯１１２における幅方向中央部は、約７０ｃｍである。なお、このタック状に折り畳まれた接合部分をヒダ状接合部１１３とする。
【００３１】
また、上側横襠帯１１２における上記幅方向中央部の左右の外側の部分は、折り畳まれることなくそのままの平面状態で下側横襠帯１１１に縫合されている。すなわち、上側横襠帯１１２の下側横襠帯１１１よりも長い余剰部分（本実施形態においては１５ｃｍ）は、上側横襠帯１１２における幅方向中央部に集中的に集められて下側横襠帯１１１に接合されている。なお、下側横襠帯１１１と上側横襠帯１１２とは、縫合のほか接着剤などを用いて互いに接合することもできる。
【００３２】
下側縦襠帯１１４は、内部空間１０３を上側縦襠帯１１５とともに掛布団１００の幅方向に沿って仕切るための帯状の部品であり、下側布地１０１の内側面上に起立するように掛布団１００の長手方向に断続的に延びて形成されている。本実施形態においては、下側縦襠帯１１４は、下側横襠帯１１１および上側横襠帯１１２と同じ材料、すなわち、トリコットで構成されている。この下側縦襠帯１１４は、下側布地１０１に対応する長さ、具体的には、下側布地１０１と上側布地１０２との各周縁部での縫い代を考慮して下側布地１０１の長手方向の長さよりも若干短い長さで形成されている。
【００３３】
また、下側縦襠帯１１４の上下方向の幅は、内部空間１０３の高さの半分よりも若干長い長さに形成されている。そして、下側縦襠帯１１４は、下側布地１０１の内側面上における幅方向中央部を避けた同中央部の両外側に配置されてそれぞれ下側布地１０１の内側面に縫合されている。この場合、幅方向中央部は、前記と同様であり、掛布団１００の幅方向の中心位置を中心として使用者Ｕの肩幅に対応する長さの範囲である。本実施形態においては、下側布地１０１における幅方向中央部は、約７０ｃｍである。
【００３４】
したがって、２列の下側縦襠帯１１４は、掛布団１００の幅方向の中心位置を中心として、幅方向に約７１ｃｍの間隔を介して設けられている。また、２列の下側縦襠帯１１４は、掛布団１００の長手方向において下側横襠帯１１１ごとに途切れて断続的に設けられている。
【００３５】
上側縦襠帯１１５は、内部空間１０３を下側縦襠帯１１４とともに掛布団１００の幅方向に沿って仕切るための帯状の部品であり、上側布地１０２の内側面に下垂した状態で掛布団１００の長手方向に断続的に延びて形成されている。本実施形態においては、下側縦襠帯１１４は、下側縦襠帯１１４と同じ材料、すなわち、トリコットで構成されている。この上側縦襠帯１１５は、上側布地１０２に対応する長さ、具体的には、上側布地１０２と下側布地１０１との各周縁部での縫い代を考慮して上側布地１０２の長手方向の長さよりも若干短い長さで形成されている。
【００３６】
また、上側縦襠帯１１５の上下方向の幅は、内部空間１０３の高さの半分よりも若干長い長さに形成されている。そして、上側縦襠帯１１５は、上側布地１０２の内側面において前記下側縦襠帯１１４に対応する位置、すなわち、幅方向中央部を避けた同中央部の両側に配置されてそれぞれ下側布地１０１の内側面に縫合されている。この場合、幅方向中央部は、前記と同様であるが、上側布地１０２の幅方向の長さが下側布地１０１の幅方向の長さよりも長く形成されているため、その長く形成された分だけ長い範囲となっている。本実施形態においては、上側布地１０２における幅方向中央部は、約７０ｃｍである。
【００３７】
したがって、２列の上側縦襠帯１１５は、掛布団１００の幅方向の中心位置を中心として、幅方向に約８６ｃｍの間隔を介して設けられている。また、２列の上側縦襠帯１１５は、掛布団１００の長手方向において上側横襠帯１１２ごとに途切れて断続的に設けられている。
【００３８】
これらの下側縦襠帯１１４と上側縦襠帯１１５とは、互いに接合されている。具体的には、下側縦襠帯１１４の上端部および上側縦襠帯１１５の下端部がそれぞれ直角方向に折り曲げられた状態で互いに重ね合されて縫合されている。これらの下側横襠帯１１１、上側横襠帯１１２、下側縦襠帯１１４および上側縦襠帯１１５によって内部空間１０３は、格子状に仕切られているとともに、これらの各格子ごとに保温材１０５がそれぞれ充填されている。
【００３９】
次に、上記のように構成した掛布団１００の作動について説明する。この掛布団１００は、使用者Ｕの就寝時において身体上に被せられて用いられる。この場合、掛布団１００は、使用者Ｕの身体に沿って湾曲、具体的には、掛布団１００における身体上の左右方向中央部分を頂点として左右両側に向かって下り傾斜するように湾曲する。しかし、掛布団１００は、上側布地１０２の幅方向の長さが下側布地１０１の幅方向の長さよりも長く形成されているため、上側布地１０２が突っ張ったり、この突っ張りにより掛布団１００の厚さが薄くなったりすることなく保温性を維持することができる。
【００４０】
また、掛布団１００は、下側布地１０１と上側布地１０２とが幅方向においてそれぞれ下側布地１０１および上側布地１０２から延びる下側横襠帯１１１および上側横襠帯１１２によって厚さ方向の中間部で互いに接合されており下側布地１０１に接合されていない。このため、使用者Ｕは、ヒダ状接合部１１３の接触による不快感を防止することができる。
【００４１】
また、掛布団１００は、ヒダ状接合部１１３を下側横襠帯１１１の幅方向中央部に形成しているため、湾曲の曲率が大きい掛布団１００の幅方向中央部の上側布地１０２に幅方向の余裕を持たせることができる。これにより、掛布団１００は、上側布地１０２が突っ張ったり、この突っ張りにより掛布団１００の厚さが薄くなったりすることなく保温性を維持することができる。
【００４２】
上記作動説明からも理解できるように、上記実施形態によれば、掛布団１００は、上側布地１０２から下垂する上側横襠帯１１２に対して下側布地１０１に下側布地１０１の幅方向の長さに合わせた下側横襠帯１１１を設けるとともにこの下側横襠帯１１１に上側横襠帯１１２をヒダ（襞）状に接合しているため、下側布地１０１にヒダ状の接合部分であるヒダ状接合部１１３が生じず肌触り感が良好になるとともにヒダ状接合部１１３が周囲の物に過度に擦れて摩耗することも解消できる。
【００４３】
さらに、本発明の実施にあたっては、上記実施形態に限定されるものではなく、本発明の目的を逸脱しない限りにおいて種々の変更が可能である。
【００４４】
例えば、上記実施形態においては、ヒダ状接合部１１３は、タックで構成した。しかし、ヒダ状接合部１１３は、上側横襠帯１１２の幅方向の長さが詰められるように折り重ねられていればよく、タック以外の折り、例えば、ギャザーやいせ込みなどであってもよい。
【００４５】
また、上記実施形態においては、ヒダ状接合部１１３は、下側横襠帯１１１上における幅方向中央部に形成した。しかし、ヒダ状接合部１１３は、下側横襠帯１１１上の全域、または下側横襠帯１１１上における前記中央部の外側（例えば、下側縦襠帯１１４および上側縦襠帯１１５よりも外側）に形成することもできる。
【００４６】
また、上記実施形態においては、ヒダ状接合部１１３を含めた下側横襠帯１１１と上側横襠帯１１２との接合部分を下側布地１０１と上側布地１０２との厚さ方向の中央部に形成した。しかし、下側横襠帯１１１と上側横襠帯１１２との接合部分は、下側布地１０１の上方であればよいため、必ずしも上記実施形態に限定されるものではない。この場合、下側横襠帯１１１と上側横襠帯１１２との接合部分は、下側布地１０１と上側布地１０２との間の厚さ方向中央部または同中央部よりも上側布地側に形成するとよい。これによれば、掛布団１００は、仰臥または横臥する使用者Ｕの身体に対して接合部分が遠く離れることにより接合部分の間接的な接触による不快感を防止することができる。
【００４７】
また、上記実施形態においては、下側縦襠帯１１４と上側縦襠帯１１５と接合して掛布団１００の内部空間１０３を長手方向に仕切った。すなわち、下側縦襠帯１１４および上側縦襠帯１１５が本発明に掛かる縦襠帯に相当する。しかし、掛布団１００は、内部空間１０３内を長手方向に仕切る必要がない場合には、縦襠帯を省略して構成することもできる。また、縦襠帯は、下側縦襠帯１１４および上側縦襠帯１１５の２つの帯状体で構成するほかに、一つの帯状体を下側布地１０１および上側布地１０２にそれぞれ接合して構成することもできる。
【００４８】
また、上記実施形態においては、掛布団１００は、内部空間１０３のうちのヒダ状接合部１１３と下側布地１０１との間の空間を１つの空間で構成した。しかし、掛布団１００は、ヒダ状接合部１１３と下側布地１０１との間の空間を２つ以上の空間で構成することできる。具体的には、掛布団１００は、例えば、図５および図６にそれぞれ示すように、下側布地１０１を仰臥した使用者Ｕに面する下側外布地１０１ａと、下側外布地１０１ａと上側布地１０２との間に配置される下側中布地１０１ｂとで構成することができる。すなわち、下側布地１０１は、上記実施形態においては１つの布地で構成したが、上下方向に２つ以上の布地で構成することもできる。
【００４９】
この場合、下側中布地１０１ｂは、図５に示すように、下側布地１０１の幅方向の一部（例えば、ヒダ状接合部１１３が形成された中央部）に設けることができる。そして、この場合、下側横襠帯１１１は、下側中布地１０１ｂおよび下側外布地１０１ａの内側面にそれぞれ設けられる。これによれば、掛布団１００は、下側布地１０１と上側布地１０２との間に配置される保温材１０５の厚さが経年的に薄くなった場合においてもヒダ状接合部１１３の肌や周囲の物への接触を緩和して肌触り感が良好に保たれるとともに摩耗も抑えることができる。
【００５０】
また、下側中布地１０１ｂは、図６に示すように、下側布地１０１の幅方向の全域に設けることができる。そして、この場合、下側横襠帯１１１は、下側中布地１０１ｂの内側面の全域にそれぞれ設けられる。これによれば、掛布団１００は、下側中布地１０１ｂをヒダ状接合部１１３に対応して設けた場合（図５参照）に比べて掛布団１００の左右からの空気の出入りを抑えて保温性を高めることができる。
【００５１】
なお、これらの場合、上側布地１０２は、下側中布地１０１ｂよりも長く形成されている。また、図５および図６においては、図示を省略しているが、ヒダ状接合部１１３と下側中布地１０１ｂとの間の内部空間１０３、下側中布地１０１ｂと下側外布地１０１ａとの間の内部空間１０３およびヒダ状接合部１１３と下側外布地１０１ａとの間の内部空間１０３にはそれぞれ保温材１０５が充填されることは当然である。
【００５２】
また、上記実施形態においては、掛布団１００は、縦が２１０ｃｍ、幅方向が１５０ｃｍの平面視で長方形状に形成されている。また、下側布地１０１および上側布地１０２は、ポリエステル樹脂製の綿（化学繊維）と木綿とを混合した生地によって構成されている。また、下側横襠帯１１１、上側横襠帯１１２、下側縦襠帯１１４および上側縦襠帯１１５は、トリコットで構成されている。また、保温材１０５は、羽毛や綿によって構成されている。しかし、これらの掛布団１００を構成する部材の大きさや材質は、掛布団の仕様に応じて適宜決定されるものであり、必ずしも上記実施形態に限定されるものではないことは当然である。
【符号の説明】
【００５３】
Ｕ…使用者、
１００…掛布団、
１０１…下側布地、１０１ａ…下側外布地、１０１ｂ…下側中布地、１０２…上側布地、１０３…内部空間、１０４…タック、１０５…保温材、
１１１…下側横襠帯、１１２…上側横襠帯、１１３…ヒダ状接合部、１１４…下側縦襠帯、１１５…上側縦襠帯。
【図１】
2017217127.tif 000003
【図２】
2017217127.tif 000004
【図３】
2017217127.tif 000005
【図４】
2017217127.tif 000006
【図５】
2017217127.tif 000007
【図６】
2017217127.tif 000008